(57)【要約】      （修正有）【課題】事前チャージ登録後のチャージの取り消しや、金額変更等ができる電子マネーチャージシステムを提供する。【解決手段】利用者端末１０から事前に登録された電子マネーカード５０にチャージする電子マネーチャージシステムであって、利用者端末は、電子マネーカードへのチャージの変更または取り消し操作を受け付けて、利用者端末とネットワークを介して接続されたサーバ（インターネットバンキングサーバ２０）に送信し、またはサーバから変更または取り消しの完了通知を受け付ける端末処理部を備える。サーバは、利用者端末から受信した変更または取り消し操作に基づいて、事前に登録された電子マネーカードのチャージを変更または取り消し、完了通知を利用者端末に送信するサーバ処理部を備える。【選択図】図１
2017068297.tif 000002
【特許請求の範囲】
【請求項１】
利用者端末から事前に登録された電子マネーカードにチャージする電子マネーチャージシステムであって、
前記利用者端末は、
前記電子マネーカードへのチャージの変更または取り消し操作を受け付けて前記利用者端末とネットワークを介して接続されたサーバに送信し、または前記サーバから前記変更または取り消しの完了通知を受け付ける端末処理部と、
前記サーバは、
前記利用者端末から受信した前記変更または取り消し操作に基づいて、前記事前に登録された電子マネーカードのチャージを変更または取り消し、前記完了通知を前記利用者端末に送信するサーバ処理部と、
を備えることを特徴とする電子マネーチャージシステム。
【請求項２】
請求項１に記載の電子マネーチャージシステムにおいて、
前記電子マネーチャージステムに接続され、前記利用者が前記電子マネーカードを使用して取引を実行するための取引端末をさらに備え、
前記サーバ処理部は、前記取引端末が受け付けた前記電子マネーカードへのチャージを前記取引端末から受信し、所定の条件を満たした場合に前記電子マネーカードへのチャージを実行し、前記チャージの完了通知を前記利用者端末に送信する、
ことを特徴とする電子マネーチャージシステム。
【請求項３】
請求項２に記載の電子マネーチャージシステムにおいて、
前記サーバは、前記利用者の預金残高を記憶した口座データベースをさらに備え、
前記サーバ処理部は、前記所定の条件として、前記チャージする金額分前記口座データベースの残高がある場合に、前記電子マネーカードへのチャージを実行する、
ことを特徴とする電子マネーチャージシステム。
【請求項４】
請求項２に記載の電子マネーチャージシステムにおいて、
前記取引端末の取引処理部は、前記電子マネーカードへのチャージと、前記マネーカードへのチャージの変更としてチャージ金額の変更を受け付け、
前記サーバ処理部は、前記取引端末から受け付けられた前記チャージ金額の変更を受信し、受信した変更後の前記チャージ金額が前記事前に登録された電子マネーカードのチャージの限度額を超える場合、前記チャージ金額を変更するか、前記チャージ金額を前記限度額までチャージするか、前記チャージをキャンセルするか、のいずれかを実行し、その結果を前記利用者端末に送信する、
ことを特徴とする電子マネーチャージシステム。
【請求項５】
請求項３に記載の電子マネーチャージシステムにおいて、
前記取引端末の取引処理部は、前記電子マネーカードへのチャージと、前記マネーカードへのチャージの変更としてチャージ金額の変更を受け付け、
前記サーバ処理部は、前記取引端末から受け付けられた前記チャージ金額の変更を受信し、受信した変更後の前記チャージ金額が前記口座データベースに記憶されている預金残高を超える場合、前記チャージ金額を変更するか、前記チャージ金額を前記預金残高分チャージするか、前記チャージをキャンセルするか、のいずれかを実行し、その結果を前記利用者端末に送信する、
ことを特徴とする電子マネーチャージシステム。
【発明の詳細な説明】
【技術分野】
【０００１】
本発明は、支払い前に予めチャージ（入金）する必要があるプリペイド型の電子マネーのチャージ（入金）方法に関するものである。
【背景技術】
【０００２】
プリペイド型の電子マネーのチャージ（入金）方法は、チャージ機や店舗レジにて現金にてチャージする方法や、予め設定した残金を下回った時に自動でチャージする方法や、特許文献１に記載の方法がある。特許文献１では、送金元の端末からの電子マネー送金申込に基づき所定の入金プログラムを添付した電子メールを送金先の利用者に送信すると、送金元の利用者の端末に接続するＩＣカードからの送金金額分の電子マネーが減額され、送金先の利用者は、自己のＩＣカードと接続する端末で受信した入金プログラムを実行することにより、電子マネーシステムから自己のＩＣカードに電子マネーが入金される。
【先行技術文献】
【特許文献】
【０００３】
【特許文献１】ＷＯ２００２／０７５６２４
【発明の概要】
【発明が解決しようとする課題】
【０００４】
特許文献１では、事前チャージ登録後のキャンセルや金額変更等の例外処理については想定されていない。そのため、事前チャージ登録後、そのままチャージを行うことになる。そこで、本発明では、事前チャージ登録後のチャージの取り消しや、金額変更等ができるチャージ方法を提供することを目的とする。
【課題を解決するための手段】
【０００５】
上記課題を解決し、目的を達成するために、本発明にかかる電子マネーチャージシステムは、利用者端末から事前に登録された電子マネーカードにチャージする電子マネーチャージシステムであって、前記利用者端末は、前記電子マネーカードへのチャージの変更または取り消し操作を受け付けて前記利用者端末とネットワークを介して接続されたサーバに送信し、または前記サーバから前記変更または取り消しの完了通知を受け付ける端末処理部と、前記サーバは、前記利用者端末から受信した前記変更または取り消し操作に基づいて、前記事前に登録された電子マネーカードのチャージを変更または取り消し、前記完了通知を前記利用者端末に送信するサーバ処理部と、を備えることを特徴とする電子マネーチャージシステムとして構成される。
【発明の効果】
【０００６】
本発明によれば、一旦事前チャージ登録をした後でもキャンセルや金額変更等が行える。上記した以外の課題、構成及び効果は、以下の実施形態の説明により明らかにされる。
【図面の簡単な説明】
【０００７】
【図１】本発明の実施の形態における電子マネーチャージシステムの構成例を示す図である。
【図２】本発明の実施の形態における電子マネーチャージシステムのチャージ手続きの処理手順を示すフローチャートである。
【図３】本発明の実施の形態における電子マネーチャージシステムの電子マネーカードへのチャージの処理手順を示すフローチャートである。
【図４】本発明の実施の形態における電子マネーチャージシステムの処理の流れを示す図である。
【図５】本発明の実施の形態における電子マネーチャージシステムのチャージ手続き完了後、チャージをキャンセルする場合の処理手順を示すフローチャートである。
【図６】本発明の実施の形態における電子マネーチャージシステムのチャージ手続き完了後、チャージ金額を変更する場合の処理手順を示すフローチャートである。
【図７】本発明の実施の形態における電子マネーチャージシステムの電子マネーカードへのチャージ時に電子マネーカードへのチャージ可能限度額を超える金額となった場合の処理手順を示すフローチャートである。
【図８】本発明の実施の形態における電子マネーチャージシステムの電子マネーカードへのチャージ時に指定口座の残高に変動があり、指定口座の残高をチャージ手続き時のチャージ金額が越える金額となった場合の処理手順を示すフローチャートである。
【図９】図７の処理実行時における確認画面の例を示す図である。
【図１０】図８の処理実行時における確認画面の例を示す図である。
【発明を実施するための形態】
【０００８】
以下に添付図面を参照して、本発明にかかる電子マネーチャージシステムの実施の形態を詳細に説明する。
【０００９】
図１は、本発明を適用した電子マネーチャージシステムの構成を示す図である。図１に示すように、電子マネーチャージシステムは、利用者端末１０と、インターネットバンキングサーバ２０と、勘定系サーバ３０と、店舗４０とを有し、これらがインターネット等の一般的なネットワークＮを介して接続されている。
【００１０】
利用者端末１０は、インターネットバンキングサーバ２０にアクセスできるパソコンや、スマートフォン等のＣＰＵ等の処理部を備えた一般的な携帯端末である。インターネットバンキングサーバ２０は、勘定系サーバ３０とＰＯＳレジ４１と連携し、チャージに関する処理を行う取引制御部２１と、送金元の口座番号やチャージ金額、電子マネーカード番号等を登録、管理を行うチャージＤＢ２２と、電子マネーカード５０へのチャージが完了したことを利用者端末１０に通知する電子メールを送信する電子メール管理部２３を有し、ＣＰＵ等の処理部を備えた一般的なサーバより構成される。チャージＤＢ２２には、利用者端末１０から登録され、インターネットバンキングで取引される口座の残高が記憶されている。勘定系サーバ３０は、口座情報を管理する口座ＤＢ３１を有し、ＣＰＵ等の処理部を備えた一般的なサーバより構成される。口座ＤＢ３１には、銀行等の金融機関に預け入れられている預金の実際の残高が記憶されている。店舗４０は、電子マネーカード５０に対応したＰＯＳレジ４１や利用者自ら操作するキオスク端末等が設置されている。ＰＯＳレジ４１は、利用者が電子マネーカード５０を使用して料金の支払いやチャージを含む各種の取引を実行するための電子マネーカード５０を読み書きできるリーダを供え、インターネットバンキングサーバ２０の取引制御部２１と連携し、電子マネーカード５０へチャージを行うＣＰＵ等の処理部を備えている。
【００１１】
図２は、図１に示した電子マネーチャージシステムへのチャージ情報を事前に登録する手続きの処理手順を示すフローチャートである。
【００１２】
図３は、図１に示した電子マネーチャージシステムで使用される電子マネーカードへのチャージの処理手順を示すフローチャートである。
【００１３】
図４は、図１に示した電子マネーチャージシステムの処理の流れを示す図である。
【００１４】
図２のフローチャートに基づく動作は以下のとおりである。
【００１５】
ステップ１００：利用者端末１０は、インターネットバンキングサーバ２０にアクセスし（図４の矢印ａ参照、以下矢印符号のみ示す）、電子マネーカード５０へのチャージ手続きを開始する。
【００１６】
ステップ１０１：利用者端末１０より電子マネーカード５０へのチャージ手続きが開始されると、インターネットバンキングサーバ２０は、送金元の口座の情報の提供を依頼する（矢印ｂ）。
【００１７】
ステップ１０２：勘定系サーバ３０は、インターネットバンキングサーバ２０から受け取った口座情報の提供依頼に対し、口座残高等の情報の提供を行う（矢印ｃ）。
【００１８】
ステップ１０３：インターネットバンキングサーバ２０は、勘定系サーバ３０より口座情報を入手すると、その情報を利用者端末に転送し（矢印ｄ）、利用者端末１０はその情報を画面に表示する。
【００１９】
ステップ１０４：利用者端末１０は、上記画面を介して利用者からチャージする電子マネーカード５０のカード番号と、その電子マネーカード５０にチャージする金額とを含むチャージ情報を事前登録する（矢印ｅ）。
【００２０】
ステップ１０５：インターネットバンキングサーバ２０は、事前登録されたチャージ情報に含まれるチャージ金額と、チャージＤＢ２２に記憶されている口座残高の確認を行う。
【００２１】
ステップ１０６：インターネットバンキングサーバ２０は、勘定系サーバ３０から提供された上記口座残高が、事前登録されたチャージ情報に含まれるチャージ金額より多ければ、チャージＤＢ２２の更新を行う（矢印ｆ）。
【００２２】
ステップ１０７：インターネットバンキングサーバ２０は、チャージＤＢ２２の更新が完了すると、利用者端末１０に通知し（矢印ｇ）、登録完了となる。
【００２３】
図３のフローチャートに基づく動作は以下のとおりである。
【００２４】
ステップ１１０：利用者は店舗４０に出向き、店員にチャージする旨を伝え、ＰＯＳレジ４１よりチャージ処理を開始する。そのとき、ＰＯＳレジ４１は、インターネットバンキングサーバ２０に対し、チャージ処理開始を通知する（矢印ｈ）。
【００２５】
ステップ１１１：ＰＯＳレジ４１は、自装置に備えられた電子マネーカード５０用リーダへの電子マネーカード５０のセットを要求し、電子マネーカード５０がセットされると、電子マネーカード５０のカード番号、電子マネー残高等を読み取り、その情報をインターネットバンキングサーバ２０に転送する（矢印ｉ）。
【００２６】
ステップ１１２：インターネットバンキングサーバ２０は、その電子マネーカード５０についてチャージＤＢ２２に記憶されているチャージ金額分のチャージが可能か、ＰＯＳレジ４１より転送された電子マネーカード５０の電子マネー残高と勘定系サーバ３０の口座残高の確認を行う（矢印ｊ）。
【００２７】
ステップ１１３：勘定系サーバ３０は、インターネットバンキングサーバ２０に、上記口座残高を含む口座ＤＢ３１の情報を提供する（矢印ｋ）。
【００２８】
ステップ１１４：インターネットバンキングサーバ２０は、口座ＤＢ３１に記憶されている口座残高とチャージ金額とを比較し、口座残高の方が多ければ、チャージ可能であるため、ＰＯＳレジ４１に暗証番号入力を要求する（矢印ｌ）。
【００２９】
ステップ１１５：ＰＯＳレジ４１は、暗証番号の入力要求を画面表示し、入力待ちとなる。利用者による暗証番号が入力されると、ＰＯＳレジ４１はその暗証番号をインターネットバンキングサーバ２０に転送する（矢印ｍ）。
【００３０】
ステップ１１６：インターネットバンキングサーバ２０は、ＰＯＳレジ４１より転送された暗証番号にて認証を行い、利用者が認証されると、ＰＯＳレジ４１に認証完了を報告する（矢印ｎ）。
【００３１】
ステップ１１７：ＰＯＳレジ４１は、電子マネーカード５０にチャージを行う（矢印ｏ）。チャージが完了すると、ＰＯＳレジ４１は、完了報告をインターネットバンキングサーバ２０に通知し（矢印ｐ）、インターネットバンキングサーバ２０は勘定系サーバに口座ＤＢの更新依頼を行う（矢印ｑ）。
【００３２】
ステップ１１８：勘定系サーバ３０は、インターネットバンキングサーバ２０からチャージ完了の報告があると、口座ＤＢ３１を更新し、チャージした金額分だけ口座残高を減額する。その後、更新完了をインターネットバンキングサーバ２０に通知する（矢印ｒ）。
【００３３】
ステップ１１９：勘定系サーバ３０より口座ＤＢ３１更新完了の通知を受けたインターネットバンキングサーバ２０は、取引制御部２１から電子メール管理部２３に取引完了の電子メール送信するよう指示を出す（矢印ｓ）。指示を受けた電子メール管理部２３はチャージ完了の電子メールを利用者端末１０宛に送信を行う（矢印ｔ）。
【００３４】
ステップ１２０：インターネットバンキングサーバ２０は、チャージＤＢ２２のデータをクリアし（矢印ｕ）、チャージ処理を終了する。
【００３５】
以下、図２、３で示した処理における事前にチャージ情報を登録した後のチャージの取り消しや、金額変更等の処理について説明する。
【００３６】
図５は、図１に示した電子マネーチャージシステムのチャージ手続き完了後、チャージをキャンセルする場合の処理手順を示すフローチャートである。
【００３７】
図５のフローチャートに基づく動作は以下のとおりである。
【００３８】
ステップ１３０：利用者端末１０は、インターネットバンキングサーバ２０にアクセスし、電子マネーカード５０へのチャージ取り消し手続きを開始する。
【００３９】
ステップ１３１：利用者端末１０より電子マネーカード５０へのチャージ取り消し手続きが開始されると、インターネットバンキングサーバ２０は、送金元となる口座ＤＢ３１の情報の提供を勘定系サーバ３０に依頼をする。
【００４０】
ステップ１３２：勘定系サーバ３０は、インターネットバンキングサーバ２０から受けた口座情報の提供依頼に対し、口座ＤＢ３１に記憶されている口座残高等の情報の提供を行う。
【００４１】
ステップ１３３：インターネットバンキングサーバ２０は、勘定系サーバ３０より口座情報を入手すると、その情報とチャージＤＢ２２に登録されているチャージ情報を利用者端末１０に転送し、利用者端末１０はその情報を画面に表示する。
【００４２】
ステップ１３４：利用者端末１０は、チャージの取り消しをインターネットバンキングサーバ２０に登録する。
【００４３】
ステップ１３５：インターネットバンキングサーバ２０は、利用者端末１０からの取り消し指示に従い、チャージＤＢ２２に登録されているチャージ金額をクリアし、チャージＤＢ２２を更新する。
【００４４】
ステップ１３６：インターネットバンキングサーバ２０は、チャージＤＢ２２の更新が完了すると、登録されているチャージ金額をクリアした旨を利用者端末１０に通知し、取り消し完了となる。
【００４５】
このように、一旦チャージ登録処理されたチャージ情報に対し、利用者は、利用者端末１０を操作するだけで、上述の方法により、チャージ情報の登録を取り消すことが可能となる。
【００４６】
図６は、図１に示した電子マネーチャージシステムのチャージ手続き完了後、チャージ金額を変更する場合の処理手順を示すフローチャートである。
【００４７】
図６のフローチャートに基づく動作は以下のとおりである。
【００４８】
ステップ１４０：利用者端末１０は、インターネットバンキングサーバ２０にアクセスし、電子マネーカード５０へのチャージ金額の変更手続きを開始する。
【００４９】
ステップ１４１：利用者端末１０より電子マネーカード５０へのチャージ金額の変更手続きが開始されると、インターネットバンキングサーバ２０は、送金元となる口座ＤＢ３１の情報の提供を勘定系サーバ３０に依頼をする。
【００５０】
ステップ１４２：勘定系サーバ３０は、インターネットバンキングサーバ２０から受けた口座情報の提供依頼に対し、口座ＤＢ３１に記憶されている口座残高等の情報の提供を行う。
【００５１】
ステップ１４３：インターネットバンキングサーバ２０は、勘定系サーバ３０より口座情報を入手すると、その情報とチャージＤＢ２２に登録されているチャージ情報を利用者端末１０に転送し、利用者端末１０はその情報を画面に表示する。
【００５２】
ステップ１４４：利用者端末１０より、変更後のチャージ金額をインターネットバンキングサーバ２０に登録する。
【００５３】
ステップ１４５：インターネットバンキングサーバ２０は、変更後のチャージ金額と口座残高の確認を行う。
【００５４】
ステップ１４６：インターネットバンキングサーバ２０は、口座ＤＢ３１に記憶されている口座の残高が、更新されたチャージ情報のチャージ金額より多ければ、チャージＤＢ２２の更新を行う。
【００５５】
ステップ１４７：インターネットバンキングサーバ２０は、チャージＤＢ２２の更新が完了すると、登録されているチャージ金額を更新した旨を利用者端末１０に通知し、チャージ金額の変更登録が完了となる。
【００５６】
このように、一旦チャージ登録処理されたチャージ情報に対し、利用者は、利用者端末１０を操作するだけで、上述の方法により、チャージ金額の変更することが可能となる。
【００５７】
図７は、図１に示した電子マネーチャージシステムの電子マネーカードへのチャージ時に電子マネーカードへのチャージ可能限度額を超える金額となった場合の処理手順を示すフローチャートである。
【００５８】
図７のフローチャートに基づく動作は以下のとおりである。
【００５９】
ステップ１５０：利用者は店舗４０に出向き、店員にチャージする旨を伝え、ＰＯＳレジ４１よりチャージ処理を開始する。そのとき、ＰＯＳレジ４１は、インターネットバンキングサーバ２０に対し、チャージ処理開始を通知する。
【００６０】
ステップ１５１：ＰＯＳレジ４１は、自装置に備えられた電子マネーカード５０用リーダへの電子マネーカード５０のセットを要求し、電子マネーカード５０がセットされると、電子マネーカード５０のカード番号、電子マネー残高等を読み取り、その情報をインターネットバンキングサーバ２０に転送する。
【００６１】
ステップ１５２：インターネットバンキングサーバ２０は、チャージＤＢ２３のチャージ金額のチャージが可能か、ＰＯＳレジ４１より転送された電子マネーカード５０の電子マネー残高を確認する。
【００６２】
ステップ１５３：インターネットバンキングサーバ２０は、電子マネーカード５０の電子マネー残高とチャージＤＢ２３のチャージ金額を確認し、チャージ情報として登録されている電子マネーカード５０のチャージ可能限度額を超える場合、チャージ金額をどうするか、ＰＯＳレジ４１に問合せを行う。
【００６３】
ステップ１５４：インターネットバンキングサーバ２０より問合せを受けたＰＯＳレジ４１は、顧客操作画面に、例えば、チャージ金額を限度額いっぱいまでするのか、チャージ金額を任意の金額に変更するのか、チャージをキャンセルするのか、のいずれかを選択させるための確認画面を表示する。
【００６４】
図９は、上記確認画面の例を示す図である。図９に示すように、確認画面には、電子マネーカード５０の現在の電子マネー残高ＸＸＸＸ円と、電子マネーカード５０へのチャージ限度額ＹＹＹＹ円と、チャージ可能な金額ＺＺＺＺ円とが表示され、利用者が取ることが可能な手続きとして、チャージ金額を変更する（１）、限度額までチャージする（２）、チャージをキャンセルする（３）が表示されている。
【００６５】
利用者は、その確認画面からいずれかの処理を選択し、ＰＯＳレジ４１は、承認処理を行って、その承認結果をインターネットバンキングサーバ２０に転送する。インターネットバンキングサーバ２０は、勘定系サーバ３０の口座残高の確認を行う。上記（１）、（２）が選択された場合に以降の処理を実行し、上記（３）が選択された場合には、以降の処理を行わず、本処理を終了する。
【００６６】
ステップ１５５：勘定系サーバ３０は、インターネットバンキングサーバ２０に口座ＤＢ３１の情報を提供する。
【００６７】
ステップ１５６：インターネットバンキングサーバ２０は、勘定系サーバ３０から提供された口座ＤＢ３１の口座残高とチャージ金額とを比較し、口座残高の方が多ければ、チャージ可能であるため、ＰＯＳレジ４１に暗証番号入力を要求する。
【００６８】
ステップ１５７：ＰＯＳレジ４１は、暗証番号の入力要求を画面表示し、入力待ちとなる。ＰＯＳレジ４１は、利用者から暗証番号の入力を受け付けると、その暗証番号をインターネットバンキングサーバ２０に転送する。
【００６９】
ステップ１５８：インターネットバンキングサーバ２０は、ＰＯＳレジ４１より転送された暗証番号にて認証を行い、認証されると、ＰＯＳレジ４１に認証完了を報告する。
【００７０】
ステップ１５９：ＰＯＳレジ４１は、上記認証完了の報告を受け取ると、電子マネーカード５０にチャージを行う。チャージが完了するとＰＯＳレジ４１は完了報告をインターネットバンキングサーバ２０に通知し、インターネットバンキングサーバ２０は、勘定系サーバに口座ＤＢの更新依頼を行う。
【００７１】
ステップ１６０：勘定系サーバ３０は、インターネットバンキングサーバ２０からチャージ完了の報告があると、口座ＤＢ３１の更新を行う。その後、更新完了をインターネットバンキングサーバ２０に通知する。
【００７２】
ステップ１６１：インターネットバンキングサーバ２０は、勘定系サーバ３０より口座ＤＢ３１更新完了の通知を受けると、取引制御部２１から電子メール管理部２３に取引完了の電子メール送信するよう指示を出す。指示を受けた電子メール管理部２３はチャージ完了の電子メールを利用者端末１０宛に送信する。
【００７３】
ステップ１６２：インターネットバンキングサーバ２０は、チャージＤＢ２２のデータをクリアし、チャージ処理を終了する。
【００７４】
このように電子マネーカード５０のチャージ可能限度額を超えてチャージ登録をした場合でも、利用者は、電子マネーカードへのチャージ時に行われる取引のなかで、上述の方法により、チャージ金額を任意に変更することでチャージすることが可能となり、また、その結果を利用者端末１０で確認することができる。
【００７５】
図８は、図１に示した電子マネーチャージシステムの電子マネーカードへのチャージ時に指定口座の残高に変動があり、指定口座の残高をチャージ手続き時のチャージ金額が越える金額となった場合の処理手順を示すフローチャートである。
【００７６】
図８のフローチャートに基づく動作は以下のとおりである。
【００７７】
ステップ１７０：利用者は店舗４０に出向き、店員にチャージする旨を伝え、ＰＯＳレジ４１よりチャージ処理を開始する。そのとき、ＰＯＳレジ４１は、インターネットバンキングサーバ２０に対し、チャージ処理開始を通知する。
【００７８】
ステップ１７１：ＰＯＳレジ４１は、自装置に備えられた電子マネーカード５０用リーダへの電子マネーカード５０のセットを要求し、電子マネーカード５０がセットされると、電子マネーカード５０のカード番号、電子マネー残高等を読み取り、その情報をインターネットバンキングサーバ２０に転送する。
【００７９】
ステップ１７２：インターネットバンキングサーバ２０は、その電子マネーカード５０についてチャージＤＢ２２に記憶されているチャージ金額分のチャージが可能か、ＰＯＳレジ４１より転送された電子マネーカード５０の電子マネー残高と勘定系サーバ３０の口座残高の確認を行う。
【００８０】
ステップ１７３：勘定系サーバ３０は、インターネットバンキングサーバ２０に、上記口座残高を含む口座ＤＢ３１の情報を提供する。
【００８１】
ステップ１７４：インターネットバンキングサーバ２０は、チャージＤＢ２２のチャージ金額と口座ＤＢ３１の口座残高を確認し、チャージ金額より口座残高が少ない場合、チャージ金額をどうするか、ＰＯＳレジ４１に問合せを行う。
【００８２】
ステップ１７５：インターネットバンキングサーバ２０より、問合せを受けたＰＯＳレジ４１は、顧客操作画面に例えばチャージ金額を口座残高全額とするのか、チャージ金額を口座残高以下の任意の金額に変更するのか、チャージをキャンセルするのか、のいずれかを選択させるための確認画面を表示する。
【００８３】
図１０は、上記確認画面の例を示す図である。図１０に示すように、確認画面には、口座ＤＢ３１の現在の口座残高ＸＸＸＸ円と、電子マネーカード５０へのチャージ金額ＹＹＹＹ円と、チャージ金額が口座残高を超えている旨のメッセージとが表示され、利用者が取ることが可能な手続きとして、チャージ金額を変更する（１）、残高分をチャージする（２）、チャージをキャンセルする（３）が表示されている。
【００８４】
利用者は、その確認画面からいずれかの処理を選択し、ＰＯＳレジ４１は、承認処理を行って、その承認結果をインターネットバンキングサーバ２０に転送する。上記（１）、（２）が選択された場合に以降の処理を実行し、上記（３）が選択された場合には、以降の処理を行わず、本処理を終了する。
【００８５】
ステップ１７６：インターネットバンキングサーバ２０は、勘定系サーバ３０から提供された口座ＤＢ３１の口座残高とチャージ金額とを比較し、口座残高の方が多ければ、チャージ可能であるため、ＰＯＳレジ４１に暗証番号入力を要求する。
【００８６】
ステップ１７７：ＰＯＳレジ４１は、暗証番号の入力要求を画面表示し、入力待ちとなる。ＰＯＳレジ４１は、利用者から暗証番号の入力を受け付けると、その暗証番号をインターネットバンキングサーバ２０に転送する。
【００８７】
ステップ１７８：インターネットバンキングサーバ２０は、ＰＯＳレジ４１より転送された暗証番号にて認証を行い、認証されると、ＰＯＳレジ４１に認証完了を報告する。
【００８８】
ステップ１７９：ＰＯＳレジ４１は、上記認証完了の報告を受け取ると、電子マネーカード５０にチャージを行う。チャージが完了するとＰＯＳレジ４１は完了報告をインターネットバンキングサーバ２０に通知し、インターネットバンキングサーバ２０は、勘定系サーバに口座ＤＢの更新依頼を行う。
【００８９】
ステップ１８０：勘定系サーバ３０は、インターネットバンキングサーバ２０からチャージ完了の報告があると、口座ＤＢ３１の更新を行う。その後、更新完了をインターネットバンキングサーバ２０に通知する。
【００９０】
ステップ１８１：インターネットバンキングサーバ２０は、勘定系サーバ３０より、口座ＤＢ３１更新完了の通知を受けると、取引制御部２１から電子メール管理部２３に取引完了の電子メール送信するよう指示を出す。指示を受けた電子メール管理部２３はチャージ完了の電子メールを利用者端末１０宛に送信する。
【００９１】
ステップ１８２：インターネットバンキングサーバ２０は、チャージＤＢ２２のデータをクリアし、チャージ処理を終了する。
【００９２】
このように口座残高の変動があり、口座残高がチャージ登録時のチャージ金額より少なくなった場合でも、利用者は、電子マネーカードへのチャージ時に行われる取引のなかで、上述の方法により、チャージ金額を任意に変更することでチャージすることが可能となり、また、その結果を利用者端末１０で確認することができる。
【００９３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００９４】
１０…利用者端末、２０…インターネットバンキングサーバ、２１…取引制御部、２２…チャージＤＢ、２３…電子メール管理部、３０…勘定系サーバ、３１…口座ＤＢ、４０…店舗、４１…ＰＯＳレジ、５０…電子マネーカード。
【図１】
2017068297.tif 000003
【図２】
2017068297.tif 000004
【図３】
2017068297.tif 000005
【図４】
2017068297.tif 000006
【図５】
2017068297.tif 000007
【図６】
2017068297.tif 000008
【図７】
2017068297.tif 000009
【図８】
2017068297.tif 000010
【図９】
2017068297.tif 000011
【図１０】
2017068297.tif 000012